(57)【要約】【課題】  事業者に係わる複数の施設の電話番号のうち、近隣の施設に係わる電話番号を知り得ていなくとも、知り得ている施設の電話番号を基にして、近隣の施設に係わる情報を得ることを可能とする。【解決手段】  携帯電話機１００は、電話番号とエリアデータとを情報配信装置４００へ送信する。情報配信装置４００は、電話番号で特定される施設が位置するエリアに携帯電話機１００がいるか否かを判断する。電話番号で特定される施設が位置するエリアに携帯電話機１００がいると判断された場合には、該施設に係わる情報が携帯電話機１００へ送信され、いないと判断された場合には、事業者の各施設に係わる施設情報の記憶位置を含む事業者情報が携帯端末へ送信される。これにより、事業者に係わる複数の施設の情報を得ることが可能となり、近隣の施設に関する情報を得ることができる。【選択図】      図１
2005196364.tif 000002
【特許請求の範囲】
【請求項１】
電話番号を受け取る入力手段と、
自装置が位置するエリアを示すエリアデータを受け取るエリアデータ受信手段と、
前記電話番号と前記エリアデータとを含む情報要求メッセージを送信する送信手段と、
前記情報要求メッセージへの応答として送信される情報を受信する情報受信手段と、
前記情報受信手段により受信された情報を再生する再生手段と
を有する携帯端末と、
事業者に係わる各施設を特定する施設識別子毎に、該施設が位置するエリアを示すエリアデータと、該施設毎の電話番号と、該施設に係わる施設情報の記憶位置を示す複数の記憶位置データとを対応付けて記憶する第１記憶手段と、
前記事業者を識別する事業者識別子毎に、該事業者に係わる各施設毎の電話番号と、各施設に係わる施設情報の記憶位置データを含む事業者情報の記憶位置データとを対応付けて記憶する第２記憶手段と、
前記送信手段により送信された情報要求メッセージを受信する受信手段と、
前記情報要求メッセージに含まれている電話番号と同じ電話番号が前記第１記憶手段に記憶されている場合、該電話番号に対応付けて記憶されているエリアデータと前記情報要求メッセージに含まれているエリアデータとを比較し、比較結果に応じて記憶位置データの読み出しを行う手段であり、
前記比較の結果、エリアデータが一致しない場合には、前記情報要求メッセージに含まれている電話番号と同じ電話番号に対応付けて前記第２記憶手段に記憶されている記憶位置データを読み出し、
前記比較の結果、エリアデータが一致した場合には、前記情報要求メッセージに含まれている電話番号と同じ電話番号に対応付けて前記第１記憶手段に記憶されている施設識別子を読み出し、読み出した施設識別子に対応付けて記憶されている複数の記憶位置データを読み出す記憶位置データ取得手段と、
前記記憶位置データ取得手段により読み出された記憶位置データで特定される情報を取得する情報取得手段と、
前記情報取得手段により取得された情報を前記携帯端末へ送信する情報送信手段とを有する情報配信装置と、
を有する情報配信システム。
【請求項２】
事業者に係わる各施設を特定する施設識別子毎に、該施設が位置するエリアを示すエリアデータと、該施設に対応する電話番号と、該施設に係わる施設情報の記憶位置を示す複数の記憶位置データとを対応付けて記憶する第１記憶手段と、
前記事業者を識別する事業者識別子毎に、該事業者に係わる各施設毎の電話番号と、各施設に係わる施設情報の記憶位置データを含む事業者情報の記憶位置データとを対応付けて記憶する第２記憶手段と、
電話番号と携帯端末が位置するエリアを示すエリアデータとを含む情報要求メッセージを受信する受信手段と、
前記情報要求メッセージに含まれている電話番号と同じ電話番号が前記第１記憶手段に記憶されている場合、該電話番号に対応付けて記憶されているエリアデータと前記情報要求メッセージに含まれているエリアデータとを比較し、比較結果に応じて記憶位置データの読み出しを行う手段であり、
前記比較の結果、エリアデータが一致しない場合には、前記情報要求メッセージに含まれている電話番号と同じ電話番号に対応付けて前記第２記憶手段に記憶されている記憶位置データを読み出し、
前記比較の結果、エリアデータが一致した場合には、前記情報要求メッセージに含まれている電話番号と同じ電話番号に対応付けて前記第１記憶手段に記憶されている施設識別子を読み出し、読み出した施設識別子に対応付けて記憶されている複数の記憶位置データを読み出す記憶位置データ取得手段と、
前記記憶位置データ取得手段により読み出された記憶位置データで特定される情報を取得する情報取得手段と、
前記情報取得手段により取得された情報を前記情報要求メッセージの送信元へ送信する情報送信手段と
を有する情報配信装置。
【請求項３】
コンピュータ装置を、
電話番号を受け取る入力手段と、
該コンピュータが位置するエリアを示すエリアデータを受け取るエリアデータ受信手段と、
前記電話番号と前記エリアデータとを含む情報要求メッセージを送信する送信手段と、
前記情報要求メッセージへの応答として送信される情報を受信する情報受信手段と、
前記情報受信手段により受信された情報を再生する再生手段
として機能させるためのプログラム。
【請求項４】
請求項３に記載のプログラムを記録したコンピュータ読み取り可能な記録媒体。
【発明の詳細な説明】
【技術分野】
【０００１】
本発明は、端末の位置に応じて情報を配信する技術に関する。
【背景技術】
【０００２】
携帯電話機やＰＤＡ（Personal Digital Assistance）などの携帯端末の中には、ＨＴＭＬ（HyperText Markup Language）に従って記述されたファイルを解釈してＷｅｂページを表示するＷｅｂブラウザを実現可能なものがあり、インターネットに接続されたサーバ装置と移動体通信網を介して通信を行い、各種情報を取得することが可能となっている。このようにＷｅｂブラウザを利用して所望の情報を取得する際には、情報の記憶位置を示すＵＲＬ（Uniform Resource Locator）を入力して情報を取得するが、携帯端末においては、入力を行うためのキーが少ないものが多いため、スラッシュやハイフンなどの記号、およびアルファベットや数字などからなるＵＲＬを入力するには、非常に面倒で繁雑な作業を要していた。
【０００３】
そこで、近年、このような問題を解決する技術が考案されており、例えば、特許文献１には、電話番号とＵＲＬとを対応付けて記憶しておき、電話番号が入力されると、入力された電話番号に対応付けて記憶されているＵＲＬを用いて情報を取得する技術が記載されている。特許文献１に記載されている技術によれば、情報を得るために入力するのが数字のみとなるため、携帯端末においても簡単な操作で容易に情報を得ることが可能となる。
【特許文献１】特開２００１−２８２６６５号公報
【発明の開示】
【発明が解決しようとする課題】
【０００４】
さて、複数の支店を持つ小売り業やサービス業のサービスを受けようとする場合、サービスの利用者は、訪れようとしている支店と同様のサービスを受けられるのであれば、訪れようとしている支店ではなく、最寄りの支店でサービスを受けても構わないという場合がある。複数の支店を持つ小売業やサービス業などの業態においては、Ｗｅｂページで情報を提供する場合、Ｗｅｂページが各支店毎に設けられていることがあり、このページを閲覧することにより、最寄りの支店でサービスを受けることが可能であるか確認することができる。
【０００５】
ところで、最寄りの支店に係わるＷｅｂページを得るためには、特許文献１に記載されている技術においては最寄りの支店に係わる電話番号を取得しなければならない。しかしながら、屋外のように参照する情報が無い状態で、最寄りの支店に係わる電話番号や最寄りの支店に係わる情報を得るのは、携帯電話機の使用者にとって非常に困難を要する。
【０００６】
本発明は、上述した背景の下になされたものであり、事業者に係わる複数の施設の電話番号のうち、近隣の施設に係わる電話番号を知り得ていなくとも、知り得ている施設の電話番号を基にして、近隣の施設に係わる情報を得ることを可能とする技術を提供することを目的とする。
【課題を解決するための手段】
【０００７】
上述した課題を解決するために本発明は、電話番号を受け取る入力手段と、自装置が位置するエリアを示すエリアデータを受け取るエリアデータ受信手段と、前記電話番号と前記エリアデータとを含む情報要求メッセージを送信する送信手段と、前記情報要求メッセージへの応答として送信される情報を受信する情報受信手段と、前記情報受信手段により受信された情報を再生する再生手段とを有する携帯端末と、事業者に係わる各施設を特定する施設識別子毎に、該施設が位置するエリアを示すエリアデータと、該施設毎の電話番号と、該施設に係わる施設情報の記憶位置を示す複数の記憶位置データとを対応付けて記憶する第１記憶手段と、前記事業者を識別する事業者識別子毎に、該事業者に係わる各施設毎の電話番号と、各施設に係わる施設情報の記憶位置データを含む事業者情報の記憶位置データとを対応付けて記憶する第２記憶手段と、前記送信手段により送信された情報要求メッセージを受信する受信手段と、前記情報要求メッセージに含まれている電話番号と同じ電話番号が前記第１記憶手段に記憶されている場合、該電話番号に対応付けて記憶されているエリアデータと前記情報要求メッセージに含まれているエリアデータとを比較し、比較結果に応じて記憶位置データの読み出しを行う手段であり、前記比較の結果、エリアデータが一致しない場合には、前記情報要求メッセージに含まれている電話番号と同じ電話番号に対応付けて前記第２記憶手段に記憶されている記憶位置データを読み出し、前記比較の結果、エリアデータが一致した場合には、前記情報要求メッセージに含まれている電話番号と同じ電話番号に対応付けて前記第１記憶手段に記憶されている施設識別子を読み出し、読み出した施設識別子に対応付けて記憶されている複数の記憶位置データを読み出す記憶位置データ取得手段と、前記記憶位置データ取得手段により読み出された記憶位置データで特定される情報を取得する情報取得手段と、前記情報取得手段により取得された情報を前記携帯端末へ送信する情報送信手段とを有する情報配信装置と、を有する情報配信システムを有する情報配信システムを提供する。
また、本発明は、事業者に係わる各施設を特定する施設識別子毎に、該施設が位置するエリアを示すエリアデータと、該施設に対応する電話番号と、該施設に係わる施設情報の記憶位置を示す複数の記憶位置データとを対応付けて記憶する第１記憶手段と、前記事業者を識別する事業者識別子毎に、該事業者に係わる各施設毎の電話番号と、各施設に係わる施設情報の記憶位置データを含む事業者情報の記憶位置データとを対応付けて記憶する第２記憶手段と、電話番号と携帯端末が位置するエリアを示すエリアデータとを含む情報要求メッセージを受信する受信手段と、前記情報要求メッセージに含まれている電話番号と同じ電話番号が前記第１記憶手段に記憶されている場合、該電話番号に対応付けて記憶されているエリアデータと前記情報要求メッセージに含まれているエリアデータとを比較し、比較結果に応じて記憶位置データの読み出しを行う手段であり、前記比較の結果、エリアデータが一致しない場合には、前記情報要求メッセージに含まれている電話番号と同じ電話番号に対応付けて前記第２記憶手段に記憶されている記憶位置データを読み出し、前記比較の結果、エリアデータが一致した場合には、前記情報要求メッセージに含まれている電話番号と同じ電話番号に対応付けて前記第１記憶手段に記憶されている施設識別子を読み出し、読み出した施設識別子に対応付けて記憶されている複数の記憶位置データを読み出す記憶位置データ取得手段と、前記記憶位置データ取得手段により読み出された記憶位置データで特定される情報を取得する情報取得手段と、前記情報取得手段により取得された情報を前記情報要求メッセージの送信元へ送信する情報送信手段とを有する情報配信装置を有する情報配信装置を提供する。
また、本発明は、コンピュータ装置を、電話番号を受け取る入力手段と、該コンピュータが位置するエリアを示すエリアデータを受け取るエリアデータ受信手段と、前記電話番号と前記エリアデータとを含む情報要求メッセージを送信する送信手段と、前記情報要求メッセージへの応答として送信される情報を受信する情報受信手段と、前記情報受信手段により受信された情報を再生する再生手段として機能させるためのプログラムおよび該プログラムを記録したコンピュータ読み取り可能な記録媒体を提供する。
本発明によれば、電話番号とエリアデータとが携帯端末から情報配信装置へ送信されると、情報配信装置は、電話番号で特定される施設が位置するエリアに携帯端末がいるか否かを判断する。電話番号で特定される施設が位置するエリアに携帯端末がいると判断された場合には、該施設に係わる施設情報が携帯端末へ送信される。また、電話番号で特定される施設が位置するエリアに携帯端末がいないと判断された場合には、事業者の各施設に係わる施設情報の記憶位置を含む事業者情報が携帯端末へ送信される。これにより、事業者に係わる複数の施設の情報を得ることが可能となり、近隣の施設に関する情報を得ることができる。
【発明の効果】
【０００８】
本発明によれば、事業者に係わる複数の施設の電話番号のうち、近隣の施設に係わる電話番号を知り得ていなくとも、知り得ている施設の電話番号を基にして、近隣の施設に係わる情報を得ることが可能となる。
【発明を実施するための最良の形態】
【０００９】
以下、図面を参照して本発明に係る実施形態について説明する。
【００１０】
［Ａ．構成］
図１は、本発明の実施形態に係わる通信システムの全体構成を例示する図である。サーバ装置６００は、例えば、複数の支店を持つ事業者により運用されているサーバ装置であり、クライアントとなる装置とデータ通信を行うことが可能となっている。サーバ装置６００は、これを運用している企業およびこの企業の各支店に関する情報を示すＷｅｂページを提供するために、ＨＴＭＬに従って記述されたファイル（以下、ＨＴＭＬファイルと略称する）や、画像ファイル、音声ファイルなどを複数記憶している。サーバ装置６００は、クライアントとなる装置からの要求に応じて、これらの各種ファイルを送信する。
【００１１】
移動体通信網２００は、これを運用する通信事業者との間で加入契約を結んだ加入契約者に対して音声通話サービスやデータ通信サービスを提供する通信網である。この移動体通信網２００は、携帯電話機１００と無線通信を行う無線基地局と、無線基地局に接続された交換機と、交換機に接続された関門交換機と、関門交換機およびインターネット５００に接続されたゲートウェイサーバ装置３００などを有しており（いずれも図示略）、サーバ装置６００と携帯電話機１００との間で行われるデータ通信を中継する。ゲートウェイサーバ装置３００は、移動体通信網２００とインターネット５００とを相互接続するものである。ゲートウェイサーバ装置３００は、インターネット５００と移動体通信網２００とを介してデータ通信が行われる際に、移動体通信網２００内で使用されるプロトコルと、インターネット５００にて標準で使用されるプロトコルであるＴＣＰ／ＩＰ（Transmission Control Protocol／Internet Protocol）との相互変換を行う。情報配信装置４００は、移動体通信網２００を運用する通信事業者と同じ通信事業者により運用されている装置であり、ゲートウェイサーバ装置３００に接続されている。この情報配信装置４００は、データ通信機能を有しており、携帯電話機１００やサーバ装置６００との間でデータ通信を行い、各種データやメッセージの授受を行うことが可能となっている。
【００１２】
携帯電話機１００は、データ通信機能を有している携帯電話機であり、移動体通信網２００を介して情報配信装置４００やサーバ装置６００と通信を行い、各種データやメッセージの授受を行うことが可能となっている。なお、この通信システムにおいては、複数の携帯電話機１００およびサーバ装置６００が存在するが、図面が煩雑になるのを防ぐため、図１においては携帯電話機１００およびサーバ装置６００のみを示している。
【００１３】
［携帯電話機１００の構成］
図２は、携帯電話機１００のハードウェア構成のうち、本発明に係わる部分の構成を例示したブロック図である。図２に示したように、携帯電話機１００の各部は、各部に接続されたバス１０１を介して各部間でデータの授受を行う。通信部１０６は、無線通信インターフェースとしての機能を有しており、ＣＰＵ（Central Processing Unit）１０２の制御の下、図示を省略したアンテナを介して、移動体通信網２００の無線基地局との間で無線通信を行い、無線基地局から送信されたデータを、ＣＰＵ１０２へ供給する一方、ＣＰＵ１０２から出力されたデータを無線基地局へ送信する。操作部１０７は、携帯端末１００を操作するための複数のキー（図示略）を有しており、このキーが押下されると、押下されたキーを示す信号をＣＰＵ１０２へ供給する。表示部１０８は、液晶ディスプレイ（図示略）を具備しており、ＣＰＵ１０２の制御の下、文字やグラフィック画面、携帯端末１００を操作するためのメニュー画面などを表示する。記憶部１０５は、データを永続的に記憶するメモリとして、例えば、ＥＥＰＲＯＭ（Electronically Erasable and Programmable Read Only Memory）などのメモリを有しており、情報取得プログラムを記憶している。
【００１４】
ＲＯＭ（Read Only Memory）１０３は、携帯端末１００の各部を制御するためのＯＳ（Operating System）ソフトウェアを記憶している。ＣＰＵ１０２は、図示を省略した電源から電力が供給されると、ＲＯＭ１０３からＯＳソフトウェアを読み出して起動し、ＲＡＭ（Random Access Memory）１０４を作業エリアとして携帯端末１００の各部の制御を行う。ＯＳソフトウェアを起動したＣＰＵ１０２は、ＣＰＵ１０２に入力される信号に応じた処理を行う。例えば、携帯端末１００の使用者が、操作部１０７が有するキーを押下すると、ＣＰＵ１０２は操作部１０７から供給される信号と表示部１０８に表示されている画面とに基づいて使用者の指示を特定し、使用者の指示に基づいて携帯端末１００の各部を制御する。また、ＯＳソフトウェアを起動したＣＰＵ１０２は、無線基地局が送信している位置登録エリア番号（無線基地局がカバーしている通信エリアを識別する番号）を受信し、受信した位置登録エリア番号を、携帯電話機１００の位置を示すデータとして記憶部１０５に記憶する。
【００１５】
ＣＰＵ１０２は、情報取得プログラムを起動する旨の指示が入力されると、記憶部１０５から情報取得プログラムを読み出し、ＲＡＭ１０４を作業エリアとして、情報取得プログラムを起動する。ＣＰＵ１０２が情報取得プログラムを起動すると、図３のフローチャートで示した処理を実行し、入力された電話番号と携帯電話機１００の位置を示す位置登録エリア番号を情報配信装置４００へ送信する機能が実現する。また、情報配信装置４００から送信される各種ファイルを受信する機能や、受信した各種ファイルが示す情報を再生する機能が実現する。
【００１６】
［情報配信装置４００の構成］
図４は、情報配信装置４００のハードウェア構成のうち、本発明に係わる部分の構成を例示するブロック図である。図４に示したように、情報配信装置４００の各部は、各部に接続されたバス４０１を介して各部間でデータの授受を行う。通信部４０６は、データ通信を行うための通信インターフェースであり、インターネット５００から送信された信号を受信してＣＰＵ４０２へ供給する一方、ＣＰＵ４０２から供給された信号を送信する。操作部４０７は、情報配信装置４００を操作するための複数のキー（図示略）を有しており、このキーが押下されると、押下されたキーを示す信号をＣＰＵ４０２へ供給する。表示部４０８は、例えば、液晶ディスプレイなどの表示装置を有しており、ＣＰＵ４０２の制御の下、文字やグラフィック画面、情報配信装置４００を操作するためのメニュー画面などを表示する。
【００１７】
記憶部４０５は、例えばハードディスク装置などの、データを永続的に記憶する装置（図示略）を有しており、情報配信装置４００の各部を制御するための制御プログラム、トップページ変換テーブルＴＢ１、変換テーブルＴＢ２、エリアマッチングテーブルＴＢ３などを記憶している。
【００１８】
図５は、トップページ変換テーブルＴＢ１のフォーマットを例示する図である。図５に示したように、トップページ変換テーブルＴＢ１は、事業者フィールドと、電話番号フィールドと、ＵＲＬフィールドとを具備している。事業者フィールドには、サーバ装置６００を運用する事業者の名称が格納される。電話番号フィールドには、サーバ装置６００を運用する事業者に係わる電話番号として、例えば、事業者の各支店に係わる電話番号などが格納される。ＵＲＬフィールドには、サーバ装置６００を運用する事業者が提供するＷｅｂページのうち、支店に係わるＷｅｂページへのハイパーリンクが記述されたトップページを示すＨＴＭＬファイルのＵＲＬが格納される。
【００１９】
図６は、変換テーブルＴＢ２のフォーマットを例示する図である。図６に示したように、変換テーブルＴＢ２は、店舗名フィールドと、電話番号フィールドと、エリアＩＤフィールドと、ＵＲＬフィールドと、備考フィールドとを具備している。店舗名フィールドには、サーバ装置６００を運用する事業者の各支店名が格納される。電話番号フィールドには、店舗名フィールドに格納された支店名に係わる電話番号として、例えば、支店の代表の電話番号や支店の各階の代表の電話番号などが格納される。エリアＩＤフィールドには、店舗名フィールドに格納された支店名の支店が位置するエリアを一意に識別するエリアＩＤが格納される。具体的には、地図上を数百メートル四方のエリアに区切り、区切られた各々のエリア（以下、個々のエリアを情報エリアと称する）に、エリアを一意に識別するエリアＩＤを付与する。そして、支店が含まれている情報エリアに付与されたエリアＩＤをエリアＩＤフィールドに格納する。ＵＲＬフィールドには、サーバ装置６００を運用する事業者の支店に係わるＷｅｂページを示すＨＴＭＬファイルのＵＲＬが格納される。備考フィールドには、ＵＲＬフィールドに格納されているＵＲＬで特定されるファイルの概要を示す情報が格納される。
【００２０】
図７は、エリアマッチングテーブルＴＢ３のフォーマットを例示する図である。ゾーンＩＤフィールドには、移動体通信網２００の無線基地局が管理する無線セルを一意に識別する、位置登録エリア番号が格納される。エリアＩＤフィールドには、位置登録エリア番号で特定される無線セルを含む情報エリアのエリアＩＤが格納される。
【００２１】
ＲＯＭ４０３は、情報配信装置４００の各部を初期化するための初期化プログラムを記憶している。ＣＰＵ４０２は、図示を省略した電源から電力が供給されると、ＲＯＭ４０３から初期化プログラムを読み出して実行し、ＲＡＭ４０４を作業エリアとして情報配信装置４００の各部の初期化を行う。初期化プログラムを起動したＣＰＵ４０２は、各部の初期化を終了すると、記憶部４０５から制御プログラムを読み出して起動し、情報配信装置４００の各部の制御を行う。このように、情報配信装置４００は、ＣＰＵがプログラムに従って各部の制御を行うという意味において、一般的なコンピュータ装置と同様の構成を有していると言える。
【００２２】
ＣＰＵ４０２が制御プログラムを起動すると、携帯電話機１００およびサーバ装置６００とデータ通信を行う機能が実現する。また、図８のフローチャートで示した処理を実行し、携帯電話機１００から送信された電話番号をＵＲＬに変換し、変換したＵＲＬで特定されるファイルを取得し、取得したファイルを携帯電話機１００に送信する機能が実現する。
【００２３】
［Ｂ．動作］
次に本実施形態の動作について、主に図９を参照して説明する。以下の説明においては、図１０に示したように、まず、携帯電話機１００の使用者がＡＡＡデパートの新宿支店１Ｂを含む通信エリア１０Ｂ内（位置登録エリア番号が「１１１２」の通信エリア）にいる場合を想定し、次に、携帯電話機１００の使用者がＡＡＡデパートの日本橋支店１Ａを含む通信エリア１０Ａ内（位置登録エリア番号が「１１１１」の通信エリア）にいる場合を想定して動作の説明を行う。
なお、日本橋支店１Ａは情報エリア１１Ａ（エリアＩＤが「１Ａ」の情報エリア）内に位置し、新宿支店１Ｂは情報エリア１１Ｂ（エリアＩＤが「１Ｂ」の情報エリア）に位置している場合を想定する。また、以下の説明においては、情報配信装置４００は、図５乃至７に示したように、各種データを格納したテーブルを記憶している場合を想定する。また、携帯電話機１００は、電源が投入された後、無線基地局が送信している位置登録エリア番号を受信し、受信した位置登録エリア番号を記憶部１０５に記憶している場合を想定する。また、携帯電話機１００は、情報取得プログラムを既に起動している場合を想定する。
【００２４】
［携帯電話機１００の使用者が、目的地から離れた位置にいる場合の動作］
携帯電話機１００のＣＰＵ１０２は情報取得プログラムを起動すると、表示部１０８を制御し、図１１に例示した画面を液晶ディスプレイに表示する（図３：ステップＳＡ１）。この画面を見た携帯電話機１００の使用者が、操作部１０７が有するキーを操作し、表示された画面中のテキストボックスにＡＡＡデパートの日本橋支店の電話番号「０＊０−ＡＡＡＡ−ＢＢＢＢ」を入力し、画面に表示されている「送信」ボタンをクリックする旨の操作を行うと（ステップＳＡ２；ＹＥＳ）、ＣＰＵ１０２は、記憶部１０５から位置登録エリア番号「１１１２」を読み出す（ステップＳＡ３）。次に、ＣＰＵ１０２は、入力された電話番号と位置登録エリア番号とを含む情報要求メッセージを生成し、生成したメッセージを情報配信装置４００へ送信する（ステップＳＡ４、図９：ステップＳ１０１）。
【００２５】
情報配信装置４００の通信部４０６にて、この情報要求メッセージが受信されると（図８：ステップＳＢ１；ＹＥＳ）、ＣＰＵ４０２は、受信したメッセージから電話番号「０＊０−ＡＡＡＡ−ＢＢＢＢ」と位置登録エリア番号「１１１２」とを抽出する。次に、ＣＰＵ４０２は、抽出した位置登録エリア番号をキーにして、エリアマッチングテーブルＴＢ３を検索する（ステップＳＢ２）。ＣＰＵ４０２は、検索キーとした位置登録エリア番号「１１１２」と同じ位置登録エリア番号が格納されているセルを見つけると、この見つけたセルに対応付けて格納されているエリアＩＤ「１Ｂ」を読み出す（ステップＳＢ３）。次に、ＣＰＵ４０２は、情報要求メッセージから抽出した電話番号「０＊０−ＡＡＡＡ−ＢＢＢＢ」をキーにして、変換テーブルＴＢ２を検索する（ステップＳＢ４）。ＣＰＵ４０２は、検索キーとした電話番号「０＊０−ＡＡＡＡ−ＢＢＢＢ」が見つからない場合には（ステップＳＢ５；ＮＯ）、電話番号に対応するＵＲＬを記憶していないことを通知する警告メッセージを携帯電話機１００へ送信する（ステップＳＢ６）。一方、ＣＰＵ４０２は、検索キーとした電話番号「０＊０−ＡＡＡＡ−ＢＢＢＢ」と同じ電話番号が格納されているセルを見つけると（ステップＳＢ５；ＹＥＳ）、この電話番号に対応付けて格納されているエリアＩＤ「１Ａ」を読み出す（ステップＳＢ７）。次に、ＣＰＵ４０２は、変換テーブルＴＢ２から読み出したエリアＩＤと、エリアマッチングテーブルＴＢ３から読み出したエリアＩＤとが同じであるか判断する（ステップＳＢ８）。
【００２６】
ステップＳＢ３で読み出したエリアＩＤ「１Ｂ」と、ステップＳＢ７で読み出したエリアＩＤ「１Ｂ」とは異なるので（ステップＳＢ８；ＮＯ）、ここで、ＣＰＵ４０２は、電話番号に係わる企業のトップページ、即ちＡＡＡデパートのＷｅｂページのトップページか、電話番号「０＊０−ＡＡＡＡ−ＢＢＢＢ」に対応付けられているＷｅｂページ（日本橋支店１Ａに係わるＷｅｂページ）のいずれを所望するか問い合わせる旨の問い合わせメッセージを携帯電話機１００へ送信する（ステップＳＢ９、ステップＳ１０２）。
【００２７】
携帯電話機１００のＣＰＵ１０２は、メッセージが送信されると、受信したメッセージの種類を判断し、問い合わせメッセージを受信した場合には、表示部１０８を制御して図１２に例示した画面を表示し（ステップＳＡ６）、電話番号に係わる企業のトップページか、電話番号に対応付けられているＷｅｂページのいずれを希望するか、携帯電話機１００の使用者に選択させる。携帯電話機１００の使用者が、キーを操作し、画面に表示されている「１」または「２」のいずれかの選択肢をクリックする旨の操作を行うと（ステップＳＡ７；ＹＥＳ）、ＣＰＵ１０２は、選択された番号を含む選択メッセージを情報配信装置４００へ送信する（ステップＳＡ８、ステップＳ１０３）。なお、ＣＰＵ１０２は、受信したメッセージが警告メッセージである場合には（ステップＳＡ５；ＮＯ、ステップＳＡ１１：ＮＯ、ステップＳＡ１９：ＹＥＳ）、図１３に例示したように、入力された電話番号からＷｅｂページを取得できないことを示す画面を表示して、ステップＳＡ１の処理へ戻る。
【００２８】
情報配信装置４００の通信部４０６にて、選択メッセージが受信されると（ステップＳＢ１０；ＹＥＳ）、このメッセージに含まれている番号を抽出する。ＣＰＵ４０２は、抽出した番号が「１」である場合（ステップＳＢ１０；ＹＥＳ）、携帯電話機１００の使用者が、電話番号に係わる企業のトップページを要求していると判断し、情報要求メッセージから抽出した電話番号をキーとして、トップページ変換テーブルＴＢ１を検索する。ＣＰＵ４０２は、検索キーとした電話番号「０＊０−ＡＡＡＡ−ＢＢＢＢ」と同じ電話番号が格納されているセルを見つけると、この電話番号に対応付けて格納されているＵＲＬ「http://www.AAA-store.co.jp/top.html」を抽出する（ステップＳＢ１２；ＹＥＳ）。
【００２９】
ＣＰＵ４０２は、ＵＲＬを読み出すと、読み出したＵＲＬをパラメータとするＧＥＴメソッドを用いたＨＴＴＰリクエストメッセージを送信する（ステップＳＢ１３、ステップＳ１０４）。このＨＴＴＰリクエストメッセージは、ゲートウェイサーバ装置３００を介してインターネット５００へ送信され、ＵＲＬにて特定されるサーバ装置６００にて受信される。サーバ装置６００は、このＨＴＴＰリクエストメッセージに応じて、ＵＲＬで指定されたファイル「top.html」を含むＨＴＴＰレスポンスメッセージを送信する（ステップＳ１０５）。
【００３０】
情報配信装置４００の通信部４０６にて、このＨＴＴＰレスポンスメッセージが受信されると、ＣＰＵ４０２は、受信したメッセージに含まれているファイル「top.html」を抽出する。ＣＰＵ４０２は、受信したメッセージからファイルを抽出すると、抽出したファイルを含む情報送信メッセージを生成し携帯電話機１００へ送信する（ステップＳＢ１６、ステップＳ１０６）。このメッセージが、携帯電話機１００の通信部１０６にて受信されると（ステップＳＡ９；ＹＥＳ）、ＣＰＵ１０２は、受信したメッセージに含まれているファイルを解釈し、ＨＴＭＬファイルの記述に従って、図１４に例示したようにＡＡＡデパートが提供するトップページを表示する（ステップＳＡ１０）。
【００３１】
一方、選択メッセージに含まれている番号が「２」である場合（ステップＳＢ１１；ＮＯ）、ＣＰＵ４０２は、携帯電話機１００の使用者が、電話番号に対応付けられているＷｅｂページを要求していると判断し、情報要求メッセージから抽出した電話番号をキーとして、変換テーブルＴＢ２を検索する。ＣＰＵ４０２は、検索キーとした電話番号「０＊０−ＡＡＡＡ−ＢＢＢＢ」と同じ電話番号が格納されているセルを見つけると、この電話番号に対応付けて格納されているＵＲＬ「http://www.AAA-store.co.jp/nihonbashi/nhonbashitop.html」を抽出する（ステップＳＢ１４）。
【００３２】
ＣＰＵ４０２は、ＵＲＬを読み出すと、読み出したＵＲＬをパラメータとするＧＥＴメソッドを用いたＨＴＴＰリクエストメッセージを送信する（ステップＳＢ１５）。このＨＴＴＰリクエストメッセージは、ゲートウェイサーバ装置３００を介してインターネット５００へ送信され、ＵＲＬにて特定されるサーバ装置６００にて受信される。サーバ装置６００は、このＨＴＴＰリクエストメッセージに応じて、ＵＲＬで指定されたファイル「nihonbashitop.html」を含むＨＴＴＰレスポンスメッセージを送信する。
【００３３】
情報配信装置４００の通信部４０６にて、このＨＴＴＰレスポンスメッセージが受信されると、ＣＰＵ４０２は、受信したメッセージに含まれているファイル「nihonbashitop.html」を抽出する。ＣＰＵ４０２は、受信したメッセージからファイルを抽出すると、抽出したファイルを含む情報送信メッセージを生成し携帯電話機１００へ送信する（ステップＳＢ１６）。このメッセージが、携帯電話機１００の通信部１０６にて受信されると（ステップＳＡ９；ＹＥＳ）、ＣＰＵ１０２は、受信したメッセージに含まれているファイルを解釈し、ＨＴＭＬファイルの記述に従って、図１５に例示した、ＡＡＡデパートの日本橋店に係わるＷｅｂページを表示する（ステップＳＡ１０）。
【００３４】
この後、携帯電話機１００の使用者が、図１５に示した電話番号入力画面表示ボタンをクリックする旨の操作を行うと（ステップＳＡ１６；ＹＥＳ、ステップＳＡ１７；ＹＥＳ）、ＣＰＵ１０２は、ステップＳＡ１に戻り電話番号入力画面を表示する。携帯電話機１００の使用者が、図１５に示した、各売り場の情報を提供するＷｅｂページへのハイパーリンクをクリックする旨の操作を行うと（ステップＳＡ１７；ＮＯ）、ＣＰＵ１０２はリンク先として記述されているＵＲＬで特定されるファイルの取得処理を行う（ステップＳＡ１８）。
【００３５】
以上説明したように、携帯電話機１００の使用者が、電話番号に係わる支店の近隣にいない場合には、電話番号に係わる企業のトップページが表示される。これにより、携帯電話機１００の使用者は、電話番号に係わる事業者の支店のうち、近隣の支店を容易に知ることが可能となる。
【００３６】
［携帯電話機１００の使用者が、目的地の近隣にいる場合の動作］
次に、携帯電話機１００の使用者が、通信エリア１０Ａ内、即ち、ＡＡＡデパートの日本橋支店１Ａの近隣にいる時に、日本橋支店１Ａに係わる情報を取得しようとした場合の動作について説明する。なお、日本橋支店１Ａの電話番号が入力されてから、情報配信装置４００が情報要求メッセージを受信するまでの動作は、情報要求メッセージに含まれる位置登録エリア番号が「１１１１」である点を除いて、上述した動作と同じであるため、その説明を省略する。
【００３７】
情報配信装置４００の通信部４０６にて、電話番号「０＊０−ＡＡＡＡ−ＢＢＢＢ」と位置登録エリア番号「１１１１」とを含む情報要求メッセージが受信されると、ＣＰＵ４０２は、受信したメッセージから電話番号と位置登録エリア番号とを抽出する。次に、ＣＰＵ４０２は、抽出した位置登録エリア番号をキーにして、エリアマッチングテーブルＴＢ３を検索する（ステップＳＢ２）。ＣＰＵ４０２は、検索キーとした位置登録エリア番号「１１１１」と同じ位置登録エリア番号が格納されているセルを見つけると、この見つけたセルに対応付けて格納されているエリアＩＤ「１Ａ」を読み出す（ステップＳＢ３）。次に、ＣＰＵ４０２は、情報要求メッセージから抽出した電話番号「０＊０−ＡＡＡＡ−ＢＢＢＢ」をキーにして、変換テーブルＴＢ２を検索する（ステップＳＢ４）。ＣＰＵ４０２は、検索キーとした電話番号「０＊０−ＡＡＡＡ−ＢＢＢＢ」と同じ電話番号が格納されているセルを見つけると（ステップＳＢ５；ＹＥＳ）、この電話番号に対応付けて格納されているエリアＩＤ「１Ａ」を読み出す。次に、ＣＰＵ４０２は、変換テーブルＴＢ２から読み出したエリアＩＤと、エリアマッチングテーブルＴＢ３から読み出したエリアＩＤとが同じであるか判断する（ステップＳＢ８）。
【００３８】
ＣＰＵ４０２は、ステップＳＢ３で読み出したエリアＩＤと、ステップＳＢ７で読み出したエリアＩＤとが同じであるので、エリアＩＤに対応付けて格納されている店舗名を読み出し（ステップＳＢ１７）、次に、この読み出した店舗名に対応付けて格納されている複数のＵＲＬ（「http://www.AAA-store.co.jp/nihonbashi/nihonbashitop.html」，「http://www.AAA-store.co.jp/nihonbashi/lady/index_1F.html」，「http://www.AAA-store.co.jp/nihonbashi/men/index_2F.html」，「http://www.AAA-store.co.jp/nihonbashi/men/bargain.html」）を読み出す（ステップＳＢ１８）。ＣＰＵ４０２は、ＵＲＬを読み出すと、読み出したＵＲＬ毎にＵＲＬをパラメータとするＧＥＴメソッドを用いたＨＴＴＰリクエストメッセージを生成し、生成したメッセージを送信する（ステップＳＢ１９、ステップＳ２０２〜Ｓ２０５）。
【００３９】
このＵＲＬ毎に生成されたＨＴＴＰリクエストメッセージは、ゲートウェイサーバ装置３００を介してインターネット５００へ送信され、ＵＲＬにて特定されるサーバ装置６００にて受信される。サーバ装置６００は、この各ＨＴＴＰリクエストメッセージに応じて、ＵＲＬで指定されたファイルを含むＨＴＴＰレスポンスメッセージを送信する（ステップＳ２０６〜Ｓ２０９）。
【００４０】
情報配信装置４００の通信部４０６にて、この各ＨＴＴＰレスポンスメッセージが受信されると、ＣＰＵ４０２は、受信した各メッセージに含まれているファイルを抽出する。ＣＰＵ４０２は、受信したメッセージからファイルを抽出すると、抽出したファイルを全て含む一括送信メッセージを生成し携帯電話機１００へ送信する（ステップＳＢ２０、ステップＳ２１０）。このメッセージが、携帯電話機１００の通信部１０６にて受信されると、ＣＰＵ１０２は、受信した一括送信メッセージに含まれているＨＴＭＬファイルを全て抽出し、記憶部１０５に記憶させる（ステップＳＡ１２）。次に、携帯電話機１００は、記憶したファイル名を、図１６に例示したように表示部１０８に表示して、携帯電話機１００の使用者に報知する。この表示を見た携帯電話機１００の使用者が、キーを操作し、ファイル名をクリックする旨の操作を行うと（ステップＳＡ１６；ＹＥＳ、ステップＳＡ１７；ＮＯ）、選択されたファイル名で特定されるファイルが記憶部１０５から読み出される。携帯電話機１００は、ファイルを読み出すと、読み出したファイルを解釈し、ＨＴＭＬファイルの記述に従ってページを表示する（ステップＳＡ１８）。
【００４１】
以上説明したように、携帯電話機１００の使用者が、電話番号に係わる支店の近隣にいる場合には、支店のＷｅｂページに係わるファイルが一括して携帯電話機１００に送信される。これにより、Ｗｅｂページを逐次ダウンロードする態様と比較して、携帯電話機１００の使用者は、支店に係わる情報を素早く容易に得ることが可能となる。
【００４２】
［Ｃ．変形例］
以上、本発明の一実施形態について説明したが、本発明は上述した実施形態に限定されることなく、他の様々な形態で実施可能である。例えば、上述の実施形態を以下のように変形して本発明を実施してもよい。
【００４３】
上述した実施形態では、携帯電話機１００が情報取得プログラムを起動し、各種情報を取得しているが、無線通信が可能であり情報取得プログラムを起動できる携帯端末は、携帯電話機１００に限定されるものではない。例えば、移動体通信網２００が提供するデータ通信サービスを受けることが可能なカード型の無線通信モジュールを、携帯型のパーソナルコンピュータやＰＤＡに装着し、この無線通信モジュールを使用して移動体通信網２００と無線通信を行うようにし、情報取得プログラムをこれらの携帯端末において起動可能なようにしてもよい。
【００４４】
携帯電話機１００の使用者が、入力した電話番号に係わる支店の近隣にいるかどうかは、以下のようにして判断するようにしてもよい。まず、変換テーブルＴＢ２において、エリアＩＤに替えて位置登録エリア番号を格納するようにし、ステップＳＢ７において、この位置登録エリア番号を読み出すようにする。そして、この読み出した位置登録エリア番号と、情報要求メッセージに含まれている位置登録エリア番号とを比較し、両位置登録エリア番号が一致すれば、入力された電話番号に係わる支店の近隣に携帯電話機１００の使用者がいると判断する。このような態様によれば、エリアＩＤを使用することなく、容易に携帯電話機１００の使用者が、入力された電話番号に係わる支店の近隣にいるか否か判断することができる。
【００４５】
上述した実施形態においては、情報配信装置４００は、携帯電話機１００が目的地の近隣にいない場合、ステップＳＢ９でトップページか電話番号に対応付けられているＷｅｂページのいずれを所望するかを問い合わせる旨の問い合わせメッセージを送信しているが、問い合わせメッセージを送信することなく、トップページに係わるＨＴＭＬファイルを取得して、携帯電話機１００に送信するようにしてもよい。
【００４６】
情報配信装置４００は、情報要求メッセージに含まれている電話番号を記憶していない場合には、キーワードに基づいてＷｅｂページの検索を行うサーバ装置を利用して、電話番号の検索を行い、該当するＷｅｂページが存在する場合には、検索したＷｅｂページのＵＲＬを携帯電話機１００へ送信するようにしてもよい。
【００４７】
情報配信装置４００にて実現する機能を、複数のサーバ装置により実現するように構成してもよい。具体的には、携帯電話機１００が電話番号に係わる支店の近隣にいるか否かを判断する機能を第１のサーバ装置にて実現し、判断結果に応じてＷｅｂページを取得する機能を第２のサーバ装置に持たせるようにする。
【００４８】
上述した携帯電話機１００の記憶部１０５に記憶されている情報取得プログラムは、書き換えが可能なようにしてもよい。情報取得プログラムを書き換える方法の一例としては、以下のような方法が挙げられる。例えば、情報取得プログラムを記録したＣＤ−ＲＯＭ（Compact Disc Read Only Memory）などの記録媒体を、パーソナルコンピュータのＣＤ−ＲＯＭドライブに挿入し、このパーソナルコンピュータと、携帯電話機１００とをケーブルで接続する。パーソナルコンピュータが、ＣＤ−ＲＯＭに記録された情報取得プログラムを読み取り、読み取ったプログラムをケーブルで接続されている携帯電話機へ送信する。そして、プログラムを受信した携帯電話機１００が、受信したプログラムを記憶部１０５に書き込むことにより、携帯電話機１００に記憶されている情報取得プログラムをバージョンアップすることが可能となる。また、情報取得プログラムは、インターネット５００に接続されたサーバ装置からダウンロードして記憶部１０５に記憶するようにしてもよい。また、情報配信装置４００が実行する制御プログラムに関しても、同様にＣＤ−ＲＯＭからプログラムを読み出して記憶部４０５に記憶させたり、インターネット５００に接続されたサーバ装置からダウンロードして記憶部４０５に記憶させるようにしてもよい。
【図面の簡単な説明】
【００４９】
【図１】本発明の一実施形態に係る通信システムの全体構成を例示する図である。
【図２】同実施形態に係わる携帯電話機のハードウェア構成を例示する図である。
【図３】同携帯電話機のＣＰＵが行う処理の流れを例示するフローチャートである。
【図４】同実施形態に係わる情報配信装置のハードウェア構成を例示する図である。
【図５】トップページ変換テーブルＴＢ１のフォーマットを例示する図である
【図６】変換テーブルＴＢ２のフォーマットを例示する図である。
【図７】エリアマッチングテーブルＴＢ３のフォーマットを例示する図である。
【図８】同情報配信装置のＣＰＵが行う処理の流れを例示するフローチャートである。
【図９】同実施形態の動作を説明するための図である。
【図１０】同実施形態の動作を説明するための図である。
【図１１】同実施形態に係わる携帯電話機に表示される画面を例示する図である。
【図１２】同実施形態に係わる携帯電話機に表示される画面を例示する図である。
【図１３】同実施形態に係わる携帯電話機に表示される画面を例示する図である。
【図１４】同実施形態に係わる携帯電話機に表示される画面を例示する図である。
【図１５】同実施形態に係わる携帯電話機に表示される画面を例示する図である。
【図１６】同実施形態に係わる携帯電話機に表示される画面を例示する図である。
【符号の説明】
【００５０】
１００・・・携帯電話機、１０１・・・バス、１０２・・・ＣＰＵ、１０３・・・ＲＯＭ、１０４・・・ＲＡＭ、１０５・・・記憶部、１０６・・・通信部、１０７・・・操作部、１０８・・・表示部、２００・・・移動体通信網、３００・・・ゲートウェイサーバ装置、４００・・・情報配信装置、４０１・・・バス、４０２・・・ＣＰＵ、４０３・・・ＲＯＭ、４０４・・・ＲＡＭ、４０５・・・記憶部、４０６・・・通信部、４０７・・・操作部、４０８・・・表示部、５００・・・インターネット、６００・・・サーバ装置。
【図１】
2005196364.tif 000003
【図２】
2005196364.tif 000004
【図３】
2005196364.tif 000005
【図４】
2005196364.tif 000006
【図５】
2005196364.tif 000007
【図６】
2005196364.tif 000008
【図７】
2005196364.tif 000009
【図８】
2005196364.tif 000010
【図９】
2005196364.tif 000011
【図１０】
2005196364.tif 000012
【図１１】
2005196364.tif 000013
【図１２】
2005196364.tif 000014
【図１３】
2005196364.tif 000015
【図１４】
2005196364.tif 000016
【図１５】
2005196364.tif 000017
【図１６】
2005196364.tif 000018